(57)【特許請求の範囲】
【請求項１】
基地局におけるワイヤレス通信の方法であって、
サブフレーム構成のセットからのサブフレーム構成で無線フレームを構成することと、
前記サブフレーム構成に基づく前記無線フレーム中にユーザ機器（ＵＥ）と通信することと
を備え、
前記無線フレームは、複数の無線フレームのシーケンスの一部であり、前記サブフレーム構成は、サブフレーム構成の前記セットのサブセットに準拠することから前記無線フレームを除外する制限に基づいて限定され、サブフレーム構成の前記サブセットは、
無線フレームの前記シーケンス内の前記無線フレームの位置、または
前記無線フレーム中で送信または受信されるべき情報のタイプ
のうちの少なくとも１つに基づいて決定され、
サブフレーム構成の前記サブセットは、前記無線フレーム中で送信されるべきダウンリンク制御情報（ＤＣＩ）に基づいて決定され、
前記制限は、少なくとも１つのダウンリンクサブフレーム割振りのないサブフレーム構成のサブセットを除外する、
方法。
【請求項２】
前記複数の無線フレームの前記シーケンスの少なくとも一部分がサブフレーム構成の前記サブセットに準拠することから前記一部分を除外するように制限される、請求項１に記載の方法。
【請求項３】
前記無線フレームに対する前記制限を示すメッセージを少なくとも１つのＵＥに送信することをさらに備える、請求項１に記載の方法。
【請求項４】
前記複数の無線フレームの前記シーケンスのサブセットを少なくとも１つのＵＥに示すことをさらに備え、前記サブセットが、前記少なくとも１つのＵＥによる測定を可能にするための少なくとも１つのダウンリンクサブフレーム割振りをもつサブフレーム構成で構成された、請求項１に記載の方法。
【請求項５】
前記無線フレームについてグループ共通ＤＣＩを監視するように少なくとも１つのＵＥを構成することをさらに備える、請求項１に記載の方法。
【請求項６】
前記少なくとも１つのＵＥの前記構成に基づいて前記無線フレームを構成すると決定することをさらに備える、請求項５に記載の方法。
【請求項７】
前記無線フレームが第１の無線フレームであり、サブフレーム構成の前記サブセットがサブフレーム構成の第１のセットであり、前記方法は、
前記複数の無線フレームの前記シーケンスからの第２の無線フレームを、サブフレーム構成の第２のセットに準拠することから限定することをさらに備え、サブフレーム構成の前記第１のセットがサブフレーム構成の前記第２のセットとは異なる、
請求項１に記載の方法。
【請求項８】
サブフレーム構成の前記第１のセットが、通常アップリンクサブフレームのないサブフレーム構成、または通常ダウンリンクサブフレームのないサブフレーム構成のうちの少なくとも１つを含んでいる、請求項７に記載の方法。
【請求項９】
ユーザ機器におけるワイヤレス通信の方法であって、
基地局から無線フレームのためのサブフレーム構成制限を受信することと、
前記サブフレーム構成に基づく前記無線フレーム中に前記基地局と通信することと
を備え、
前記無線フレームは、複数の無線フレームのシーケンスの一部であり、前記サブフレーム構成制限は、サブフレーム構成のセットに準拠することから前記無線フレームを除外し、
サブフレーム構成の前記セットが、無線フレームの前記シーケンス内の前記無線フレームの位置、または前記無線フレーム中で送信または受信されるべき情報のタイプのうちの少なくとも１つに基づき、
サブフレーム構成の前記セットは、前記無線フレーム中で受信されるべき前記ダウンリンク制御情報（ＤＣＩ）に基づき、前記サブフレーム構成制限は、少なくとも１つのダウンリンクサブフレーム割振りをもつサブフレーム構成のないサブフレーム構成のセットに準拠することから前記無線フレームを除外する、
方法。
【請求項１０】
前記複数の無線フレームの前記シーケンスの少なくとも一部分が、サブフレーム構成の前記セットに準拠することから前記一部分を除外するように制限される、請求項９に記載の方法。
【請求項１１】
サブフレーム構成の前記セットが、無線フレームの前記シーケンス内の前記無線フレームの位置、または前記無線フレーム中で送信または受信されるべき情報のタイプのうちの少なくとも１つに基づく、請求項９に記載の方法。
【請求項１２】
前記基地局から前記複数の無線フレームの前記シーケンスのサブセットのインジケーションを受信することと、ここにおいて、前記サブセットが、少なくとも１つのダウンリンクサブフレーム割振りをもつサブフレーム構成で構成され、
無線フレームの前記シーケンスの前記サブセットに対して測定を実行することと
をさらに備える、請求項９に記載の方法。
【請求項１３】
前記サブフレーム構成制限に基づいて前記無線フレームについてグループ共通ＤＣＩを監視することをさらに備える、請求項９に記載の方法。
【請求項１４】
サブフレーム構成の前記第１のセットが、通常アップリンクサブフレームのないサブフレーム構成、または通常ダウンリンクサブフレームのないサブフレーム構成のうちの少なくとも１つを含んでいる、請求項１３に記載の方法。
【請求項１５】
第１の無線フレームが、サブフレーム構成の第１のセットに準拠することから除外され、第２の無線フレームが、サブフレーム構成の第２のセットに準拠することから除外され、サブフレーム構成の前記第１のセットがサブフレーム構成の前記第２のセットとは異なる、請求項９に記載の方法。
【請求項１６】
基地局におけるワイヤレス通信のための装置であって、
メモリと、
前記メモリに結合された少なくとも１つのプロセッサと
を備え、前記少なくとも１つのプロセッサは、
サブフレーム構成のセットからのサブフレーム構成で無線フレームを構成することと、
前記サブフレーム構成に基づく前記無線フレーム中にユーザ機器（ＵＥ）と通信することと
を行うように構成され、
前記無線フレームは、複数の無線フレームのシーケンスの一部であり、前記サブフレーム構成は、サブフレーム構成の前記セットのサブセットに準拠することから前記無線フレームを除外する制限に基づいて限定され、サブフレーム構成の前記サブセットは、
無線フレームの前記シーケンス内の前記無線フレームの位置、または
前記無線フレーム中で送信または受信されるべき情報のタイプ
のうちの少なくとも１つに基づいて決定され、
サブフレーム構成の前記サブセットは、前記無線フレーム中で送信されるべき情報の前記タイプに基づいて決定され、送信されるべき情報の前記タイプは、ダウンリンク制御情報（ＤＣＩ）を備え、
前記制限は、少なくとも１つのダウンリンクサブフレーム割振りのないサブフレーム構成のサブセットを除外する、
装置。
【請求項１７】
前記少なくとも１つのプロセッサが、前記無線フレームに対する前記制限を示すメッセージを少なくとも１つのＵＥに送信するようにさらに構成された、請求項１６に記載の装置。
【請求項１８】
前記少なくとも１つのプロセッサが、前記複数の無線フレームの前記シーケンスのサブセットを少なくとも１つのＵＥに示すようにさらに構成され、ここにおいて、前記複数の無線フレームの前記シーケンスの前記サブセットが、前記少なくとも１つのＵＥによる測定を可能にするための少なくとも１つのダウンリンクサブフレーム割振りをもつサブフレーム構成で構成された、請求項１６に記載の装置。
【請求項１９】
ユーザ機器におけるワイヤレス通信のための装置であって、
メモリと、
前記メモリに結合された少なくとも１つのプロセッサと
を備え、前記少なくとも１つのプロセッサは、
基地局から無線フレームのためのサブフレーム構成制限を受信することと、
前記サブフレーム構成に基づく前記無線フレーム中に前記基地局と通信することと
を行うように構成され、
前記無線フレームは、複数の無線フレームのシーケンスの一部であり、前記サブフレーム構成制限は、サブフレーム構成のセットに準拠することから前記無線フレームを除外し、
サブフレーム構成の前記セットは、前記無線フレーム中で受信されるべき前記ダウンリンク制御情報（ＤＣＩ）に基づき、前記サブフレーム構成制限は、少なくとも１つのダウンリンクサブフレーム割振りをもつサブフレーム構成のないサブフレーム構成のセットに準拠することから前記無線フレームを除外する、
装置。
【請求項２０】
前記少なくとも１つのプロセッサは、
前記基地局から前記複数の無線フレームの前記シーケンスのサブセットのインジケーションを受信することと、ここにおいて、前記サブセットが、少なくとも１つのダウンリンクサブフレーム割振りをもつサブフレーム構成で構成され、
無線フレームの前記シーケンスの前記サブセットに対して測定を実行することと
を行うようにさらに構成された、請求項１９に記載の装置。
【請求項２１】
前記少なくとも１つのプロセッサは、前記サブフレーム構成制限に基づいて前記無線フレームについてグループ共通ＤＣＩを監視するようにさらに構成された、請求項１９に記載の装置。
【請求項２２】
サブフレーム構成の前記セットが、無線フレームのシーケンス内の前記無線フレームの位置、または前記無線フレーム中で送信または受信されるべき情報のタイプのうちの少なくとも１つに基づく、請求項１９に記載の装置。
【請求項２３】
基地局におけるワイヤレス通信の方法であって、
サブフレーム構成のセットからのサブフレーム構成で無線フレームを構成することと、
前記サブフレーム構成に基づく前記無線フレーム中にユーザ機器（ＵＥ）と通信することと
を備え、
前記無線フレームは、複数の無線フレームのシーケンスの一部であり、前記サブフレーム構成は、サブフレーム構成の前記セットのサブセットに準拠することから前記無線フレームを除外する制限に基づいて限定され、サブフレーム構成の前記サブセットは、
無線フレームの前記シーケンス内の前記無線フレームの位置、または
前記無線フレーム中で送信または受信されるべき情報のタイプ
のうちの少なくとも１つに基づいて決定され、
サブフレーム構成の前記サブセットは、前記無線フレームが前記無線フレーム中で送信されるべき物理ランダムアクセスチャネル（ＰＲＡＣＨ）情報を備えることに基づいて決定され、
前記制限は、アップリンクサブフレーム割振りまたはスペシャルサブフレーム割振りのうちの少なくとも１つのないサブフレーム構成のサブセットを除外する、
方法。
【請求項２４】
ＰＲＡＣＨ構成インデックスが少なくとも１つのＵＥに示され、前記ＰＲＡＣＨ構成インデックスが２つまたはそれ以上の無線フレームのＰＲＡＣＨ周期性に関連する、請求項２３に記載の方法。
【請求項２５】
ユーザ機器におけるワイヤレス通信の方法であって、
基地局から無線フレームのためのサブフレーム構成制限を受信することと、
前記サブフレーム構成に基づく前記無線フレーム中に前記基地局と通信することと
を備え、
前記無線フレームは、複数の無線フレームのシーケンスの一部であり、前記サブフレーム構成制限は、サブフレーム構成のセットに準拠することから前記無線フレームを除外し、
サブフレーム構成の前記セットが、前記無線フレームが物理ランダムアクセスチャネル（ＰＲＡＣＨ）情報を備えることに基づき、
前記サブフレーム構成制限は、アップリンクサブフレーム割振りまたはスペシャルサブフレーム割振りのうちの少なくとも１つのないサブフレーム構成のセットに準拠することから前記無線フレームを除外する、
方法。
【請求項２６】
前記基地局からＰＲＡＣＨ構成インデックスを受信することをさらに備え、ここにおいて、前記ＰＲＡＣＨ構成インデックスが２つまたはそれ以上の無線フレームのＰＲＡＣＨ周期性に関連する、請求項２５に記載の方法。
【請求項２７】
基地局におけるワイヤレス通信のための装置であって、
メモリと、
前記メモリに結合された少なくとも１つのプロセッサと
を備え、前記少なくとも１つのプロセッサは、
サブフレーム構成のセットからのサブフレーム構成で無線フレームを構成することと、
前記サブフレーム構成に基づく前記無線フレーム中にユーザ機器（ＵＥ）と通信することと
を行うように構成され、
前記無線フレームは、複数の無線フレームのシーケンスの一部であり、前記サブフレーム構成は、サブフレーム構成の前記セットのサブセットに準拠することから前記無線フレームを除外する制限に基づいて限定され、サブフレーム構成の前記サブセットは、
無線フレームの前記シーケンス内の前記無線フレームの位置、または
前記無線フレーム中で送信または受信されるべき情報のタイプ
のうちの少なくとも１つに基づいて決定され、
サブフレーム構成の前記サブセットが、前記無線フレーム中で送信されるべき情報の前記タイプに基づいて決定され、前記無線フレーム中で受信されるべき情報の前記タイプは、物理ランダムアクセスチャネル（ＰＲＡＣＨ）情報を備え、
前記制限は、アップリンクサブフレーム割振りまたはスペシャルサブフレーム割振りのうちの少なくとも１つのないサブフレーム構成のサブセットを除外する、
装置。
【請求項２８】
ＰＲＡＣＨ構成インデックスが少なくとも１つのＵＥに示され、前記ＰＲＡＣＨ構成インデックスが２つまたはそれ以上の無線フレームのＰＲＡＣＨ周期性に関連する、請求項２７に記載の装置。
【請求項２９】
ユーザ機器におけるワイヤレス通信のための装置であって、
メモリと、
前記メモリに結合された少なくとも１つのプロセッサと
を備え、前記少なくとも１つのプロセッサは、
基地局から無線フレームのためのサブフレーム構成制限を受信することと、
前記サブフレーム構成に基づく前記無線フレーム中に前記基地局と通信することと
を行うように構成され、
前記無線フレームは、複数の無線フレームのシーケンスの一部であり、前記サブフレーム構成制限は、サブフレーム構成のセットに準拠することから前記無線フレームを除外すし、
サブフレーム構成の前記セットが、前記無線フレームが物理ランダムアクセスチャネル（ＰＲＡＣＨ）情報を備えることに基づき、
前記サブフレーム構成制限は、アップリンクサブフレーム割振りまたはスペシャルサブフレーム割振りのうちの少なくとも１つのないサブフレーム構成のセットに準拠することから前記無線フレームを除外する、
装置。
【請求項３０】
前記少なくとも１つのプロセッサは、前記基地局からＰＲＡＣＨ構成インデックスを受信するようにさらに構成され、ここにおいて、前記ＰＲＡＣＨ構成インデックスが２つまたはそれ以上の無線フレームのＰＲＡＣＨ周期性に関連する、請求項２９に記載の装置。
【発明の詳細な説明】
【技術分野】
【０００１】
関連出願の相互参照
[0001]本出願は、その全体が参照により本明細書に明確に組み込まれる、２０１４年２月２４日に出願された「NEW TDD CONFIGURATIONS AND EIMTA IN LTE」と題する米国仮出願第６１／９４４，０００号、および２０１５年１月２９日に出願された「NEW TDD CONFIGUATIONS AND EIMTA IN LTE」と題する米国特許出願第１４／６０９，３９５号の利益を主張する。
【０００２】
[0002]本開示は、一般に通信システムに関し、より詳細には、ＬＴＥ（登録商標）における新しい時分割複信（ＴＤＤ：time division duplex）構成およびトラフィック適応のための発展型干渉管理（ｅＩＭＴＡ：evolved interference management for traffic adaptation）に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ（登録商標）：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ワイヤレス通信システムは、トラフィック需要に基づいてＴＤＤフレームのための異なるＵＬ−ＤＬサブフレーム構成の動的実装を可能にすることによって、ワイヤレスリソースの割振りにおけるフレキシビリティを与えるＴＤＤフレーム構造をサポートし得る。異なるＵＬ−ＤＬサブフレーム構成の動的実装は、トラフィック適応のための発展型干渉管理（ｅＩＭＴＡ）としても知られている。
【発明の概要】
【０００６】
[0006]ｅＩＭＴＡを採用するとき、ＴＤＤフレーム構造をサポートするワイヤレス通信システムは、一般に、ＴＤＤフレームのためのいくつかの異なるＵＬ−ＤＬサブフレーム構成のうちの１つを実装する。ワイヤレス通信システムは、実際のトラフィックニーズに基づいてＵＬ−ＤＬサブフレーム構成の動的適応を可能にし得る。たとえば、ＵＥは、ＤＬサブフレーム中で基地局からダウンリンク制御情報（ＤＣＩ：downlink control information）を受信することによって、ＴＤＤフレームのためのＵＬ−ＤＬサブフレーム構成を動的に決定し得る。しかしながら、現在のＵＬ−ＤＬサブフレーム構成は、たとえば、大量のデータがあるネットワークデバイス（たとえば、ユーザ機器（ＵＥ））から別のネットワークデバイス（たとえば、ｅＮＢ）に送信される必要があるとき、最適スループットを与えないことがある。
【０００７】
[0007]最適スループットを達成するために、（候補サブフレーム構成とも呼ばれる）新しいＵＬ−ＤＬサブフレーム構成が導入され得る。たとえば、候補サブフレーム構成は、ＵＬヘビートラフィックのスループットを増加させるためにＴＤＤフレーム中のすべてのサブフレームをＵＬサブフレームとして構成し得る。別の例として、候補サブフレーム構成は、ＤＬヘビートラフィックのスループットを増加させるためにＴＤＤフレーム中のすべてのサブフレームをＤＬサブフレームとして構成し得る。そのような候補サブフレーム構成の導入は、システム性能を劣化させ得る様々な問題を提起し得る。１つの例示的な問題は、ＵＥが（たとえば、クロスキャリアが制御チャネル割当てのために利用可能でない）スタンドアロン動作のために構成されたとき、そのような候補サブフレーム構成がＵＬ−ＤＬサブフレーム構成の動的適応を妨げ得ることである。一例として、候補サブフレーム構成がＴＤＤフレーム中のすべてのサブフレームをＵＬサブフレームとして構成する場合、ＵＥは、ＴＤＤフレームのためのＵＬ−ＤＬサブフレーム構成を動的に決定するために必要とされるＤＣＩを受信することが可能でないことがある。別の例示的な問題は、候補サブフレーム構成が、スタンドアロン動作のために構成されたＵＥに十分な物理ランダムアクセスチャネル（ＰＲＡＣＨ：physical random access channel）機会を与えないことがあることである。
【０００８】
[0008]ｅＩＭＴＡを実装するｅＮＢは、無線フレームのサブセットが候補サブフレーム構成で構成されることを制限することによって、上記で説明した問題に対処し得る。たとえば、少なくとも１つのＵＥがグループ共通ＤＣＩを監視するように構成された無線フレームでは、ｅＮＢは、無線フレームが、すべてのサブフレームがアップリンクサブフレームとして構成されたサブフレーム構成で構成されることを制限し得る。したがって、ｅＮＢは、ＵＥに、グループ共通ＤＣＩを監視する機会（たとえば、ダウンリンクサブフレームとして構成された少なくとも１つのサブフレーム）を保証することができる。逆に、ＵＥがグループ共通ＤＣＩを監視するように構成されない無線フレームでは、ｅＮＢは、無線フレームが、すべてのサブフレームがアップリンクサブフレームとして構成されたサブフレーム構成で構成されることを可能にし得る。
【０００９】
[0009]別の態様では、ｅＮＢは、偶数無線フレーム中でグループ共通ＤＣＩを監視するようにＵＥを構成し得るが、奇数無線フレームが、すべてのサブフレームがアップリンクサブフレームとして構成された候補サブフレーム構成で構成されることを可能にし得る。この態様では、ｅＮＢは、偶数無線フレームが、すべてのサブフレームがアップリンクサブフレームとして構成された候補サブフレーム構成で構成されることを制限し得る。
【００１０】
[0010]したがって、本開示の一態様では、方法、コンピュータプログラム製品、および装置が提供され、ここで、装置は、ある制限（restriction）に基づくサブフレーム構成で無線フレームを構成する。該制限は、無線フレームを、無線フレームのシーケンス内の無線フレームの位置（たとえば、奇数フレームまたは偶数フレーム）、または無線フレーム中で送信または受信されるべき情報のタイプのうちの少なくとも１つに基づく１つまたは複数の除外されたサブフレーム構成に準拠することから除外する。本装置は、次いで、サブフレーム構成に基づく無線フレーム中にユーザ機器（ＵＥ）と通信する。
【００１１】
[0011]本開示の一態様では、方法、コンピュータプログラム製品、および装置が提供される。本装置は、少なくとも１つの無線フレームのためのサブフレーム構成制限（subframe configuration restriction）を含む情報を受信することと、少なくとも１つの無線フレームが、少なくとも１つの無線フレームを、１つまたは複数の除外されたサブフレーム構成に準拠することから除外するサブフレーム構成制限に基づくサブフレーム構成で構成された、サブフレーム構成に基づく少なくとも１つの無線フレーム中に基地局と通信することとを行う。
【図面の簡単な説明】
【００１２】
【図１】[0012]ネットワークアーキテクチャの一例を示す図。
【図２】[0013]アクセスネットワークの一例を示す図。
【図３】[0014]ＬＴＥにおけるＤＬフレーム構造の一例を示す図。
【図４】[0015]ＬＴＥにおけるＵＬフレーム構造の一例を示す図。
【図５】[0016]ユーザプレーンおよび制御プレーンのための無線プロトコルアーキテクチャの一例を示す図。
【図６】[0017]アクセスネットワーク中の発展型ノードＢおよびユーザ機器の一例を示す図。
【図７】[0018]異種ネットワーク中の範囲拡大セルラー領域を示す図。
【図８】[0019]ＴＤＤ無線フレーム構造のためのサブフレーム構成を示す図。
【図９】[0020]ＬＴＥ無線フレーム構造を示す図。
【図１０】[0021]本開示の様々な態様による、ＴＤＤ無線フレーム構造のための候補サブフレーム構成の例を示す図。
【図１１】[0022]本開示の様々な態様による、無線フレームのシーケンスのためのサブフレーム構成を示す図。
【図１２】[0023]ワイヤレス通信の方法のフローチャート。
【図１３】[0024]例示的な装置における異なるモジュール／手段／構成要素間のデータフローを示す概念データフロー図。
【図１４】[0025]処理システムを採用する装置のためのハードウェア実装形態の一例を示す図。
【図１５】[0026]ワイヤレス通信の方法のフローチャート。
【図１６】[0027]例示的な装置における異なるモジュール／手段／構成要素間のデータフローを示す概念データフロー図。
【図１７】[0028]処理システムを採用する装置のためのハードウェア実装形態の一例を示す図。
【発明を実施するための形態】
【００１３】
[0029]対応する図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１４】
[0030]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１５】
[0031]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明する様々な機能を実施するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１６】
[0032]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１７】
[0033]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１８】
[0034]Ｅ−ＵＴＲＡＮは、発展型ノードＢ（ｅＮＢ：evolved Node B）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、ｅノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１９】
[0035]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００２０】
[0036]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレッジエリアおよび／または特定のカバレッジエリアにサービスしているｅＮＢサブシステムを指し得る。さらに、「ｅＮＢ」、「基地局」、および「セル」という用語は、本明細書では互換的に使用されることがある。
【００２１】
[0037]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００２２】
[0038]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２３】
[0039]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレッジを達成するために、送信ダイバーシティと組み合わせてシングルストリームビームフォーミング送信が使用され得る。
【００２４】
[0040]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトラム拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２５】
[0041]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２６】
[0042]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２７】
[0043]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２８】
[0044]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試行は単一のサブフレーム（１ｍｓ）中でまたは少数の連続サブフレームのシーケンス中で搬送され、ＵＥは、フレーム（１０ｍｓ）ごとに単一のＰＲＡＣＨ試行だけを行うことができる。
【００２９】
[0045]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３０】
[0046]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００３１】
[0047]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００３２】
[0048]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３３】
[0049]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３４】
[0050]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３５】
[0051]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３６】
[0052]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３７】
[0053]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００３８】
[0054]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３９】
[0055]ＵＬ送信は、ＵＥ６５０における受信機機能に関して説明した方法と同様の方法でｅＮＢ６１０において処理される。各受信機６１８ＲＸが、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００４０】
[0056]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００４１】
[0057]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実行される干渉消去とによってセルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が、範囲拡大セルラー領域７０３に入るとき、マクロｅＮＢ７１０ａからのＵＥ７２０のハンドオフを受け入れることが可能になる。
【００４２】
[0058]図８は、ＴＤＤフレーム構造のためのサブフレーム構成を示す図８００である。図８に示されているように、ＴＤＤフレーム構造は、１０個のサブフレーム（たとえば、サブフレーム０〜９）を含み得、７つの可能なサブフレーム構成（たとえば、ＵＬ−ＤＬサブフレーム構成０〜６）をサポートし得る。図８の態様では、サブフレーム構成は、２つの可能なスイッチング周期性（たとえば、５ｍｓおよび１０ｍｓ）のうちの１つを有する。図８に示されているように、５ｍｓスイッチング周期性をもつサブフレーム構成は、フレームあたり２つのスペシャルサブフレーム（たとえば、図８にＳとして示されている）を含み、１０ｍｓスイッチング周期性をもつサブフレーム構成は、フレームあたり１つのスペシャルサブフレームを含む。
【００４３】
[0059]図９は、ＬＴＥフレーム構造を示す図９００である。図９に示されているように、１つの無線フレーム９０２が、１０個のサブフレーム（たとえば、サブフレーム０〜サブフレーム９）を含むように構成され得る。図９にさらに示されているように、各サブフレームは２つのスロットを含み得る。一態様では、図９中の無線フレームは、図８に関して前に説明した７つのサブフレーム構成（たとえば、ＵＬ−ＤＬ構成０〜６）からのサブフレーム構成で構成され得る。たとえば、図９中の無線フレームが図８中のサブフレーム構成３で構成された場合、サブフレーム０および５〜９はＤＬサブフレームとして構成され得、サブフレーム２〜４はアップリンクサブフレームとして構成され得、サブフレーム１はスペシャルサブフレームとして構成され得る。
【００４４】
[0060]図１０は、本開示の様々な態様による、ＴＤＤフレーム構造のための候補サブフレーム構成の例を示す図１０００である。候補サブフレーム構成は、たとえば、大量のデータがあるネットワークデバイス（たとえば、ＵＥ）から別のネットワークデバイス（たとえば、ｅＮＢ）に送信される必要があるとき、スループットを増加させることによってシステム性能を改善するために実装され得る。図１０に示されているように、候補サブフレーム構成１’でのサブフレームのすべてはＤＬサブフレームであるが、候補サブフレーム構成３’でのサブフレームのすべてはＵＬサブフレームである。他のＵＬヘビーサブフレーム構成が可能であり得る。図１０にさらに示されているように、候補サブフレーム構成２’でのサブフレーム０および２〜９はＤＬサブフレームであり、サブフレーム１は（図１０に「Ｓ」として示されている）スペシャルサブフレームである。スペシャルサブフレームは、既存のスペシャルサブフレーム構成または新しいスペシャルサブフレーム構成に従い得る。候補サブフレーム構成１’、２’、および３’として本開示で説明するが、そのような候補サブフレーム構成は、既存のＬＴＥ  ＴＤＤ構成（たとえば、図８に関して説明した既存のＵＬ−ＤＬサブフレーム構成０〜６）に付加され（appended）得る。
【００４５】
[0061]ｅＩＭＴＡを採用するとき、ＬＴＥ−ＴＤＤ  ＵＬ−ＤＬサブフレーム構成は、実際のトラフィックニーズに基づいて動的に適応させられ得る。たとえば、短い持続時間中に、ダウンリンク上で大きいデータバーストが必要とされる場合、サブフレーム構成は、サブフレーム構成１（６ＤＬ：４ＵＬ）からサブフレーム構成５（９ＤＬ：１ＵＬ）に変更され得る。一態様では、ＴＤＤサブフレーム構成の適応は、６４０ｍｓよりも遅くならないことが予想される。別の態様では、ＴＤＤサブフレーム構成の適応は、１０ｍｓほどの高速であり得る。ＴＤＤ  ＵＬ−ＤＬサブフレーム構成は、ＵＥグループ共通物理ダウンリンク制御チャネル（ＰＤＣＣＨ：physical downlink control channel）または拡張ＰＤＣＣＨ（ｅＰＤＣＣＨ：enhanced PDCCH）を使用して明示的レイヤ１シグナリングを介して１つまたは複数のＵＥに動的に示され得る。
【００４６】
[0062]ＴＤＤ  ＵＬ−ＤＬサブフレーム構成の適応はまた、ＤＬ／ＵＬ  ＨＡＲＱ管理においてさらなる複雑さを生じ得る。一態様では、ＨＡＲＱ管理を簡略化するために、基準ＵＬ−ＤＬサブフレーム構成が使用され得る。たとえば、ＵＬ  ＨＡＲＱの場合、スケジューリングおよびＨＡＲＱタイミングは、システム情報ブロック（ＳＩＢ：system information block）１に示されているように、ＤＬ／ＵＬサブフレーム構成に基づき得る。ＤＬ  ＨＡＲＱの場合、ｅＮＢ（たとえば、ｅＮＢ７１０ａ）は、サブフレーム構成２、４、および５から選択される１つの基準サブフレーム構成を使用するようにＵＥ（たとえば、ＵＥ７２０）に示し得る。ｅＩＭＴＡでは、いくつかのサブフレームは送信方向の動的変更の対象とならないことがあるが、いくつかのサブフレームはサブフレーム構成の動的適応の対象となり得る。一態様では、ＳＩＢ１中のＴＤＤ  ＵＬ−ＤＬサブフレーム構成でのＤＬサブフレームは、動的適応の対象とならないことがある。同様に、ＤＬ  ＨＡＲＱ基準構成でのＵＬサブフレームは動的適応の対象とならないことがある。
【００４７】
[0063]１つの第１の態様では、図１０に関して上記で説明した例示的な候補サブフレーム構成１’、２’、および／または３’はマルチキャリア構成で実装され得る。一態様では、ｅＮＢ７１０ａは、候補サブフレーム構成１’、２’、および／または３’の対象となるキャリアを非スタンドアロンキャリアに指定しないことがある。一態様では、そのようなキャリアは、依然としてｅＩＭＴＡの対象となり得る。一態様では、ｅＮＢ７１０ａは、候補サブフレーム構成１’、２’、および／または３’内でのみｅＩＭＴＡを実装し得る。たとえば、これらのキャリアのための動的ＴＤＤ  ＵＬ−ＤＬサブフレーム構成は、候補サブフレーム構成１’、２’、および／または３’の間でのみ可能にされ得る。しかしながら、そのような態様は、限定されたｅＩＭＴＡ適応（limited eIMTA adaptation）を行い得る。別の態様では、ｅＮＢ７１０ａは、候補サブフレーム構成１’、２’、および／または３’、ならびに図８に関して前に説明した７つの可能なサブフレーム構成（たとえば、ＵＬ−ＤＬサブフレーム構成０〜６）の間でｅＩＭＴＡを実装し得る。たとえば、ｅＮＢ７１０ａは、ＵＬ−ＤＬサブフレーム構成０〜６のいずれかを使用してこれらのキャリアを構成し得る。したがって、この態様は、トラフィックニーズに応答してよりフレキシブルな適応を行う。一態様では、ｅＮＢ７１０ａは、これらのキャリアがスタンドアロン動作をサポートしていないことを示すための機構を実装し得る。たとえば、ｅＮＢ７１０ａは、ＳＩＢ中で、これらのキャリアを２次キャリア専用帯域または禁止されたアクセスとして定義し得る。
【００４８】
[0064]候補サブフレーム構成１’、２’、および／または３’は、キャリアアグリゲーションを実装するｅＮＢ（たとえば、ｅＮＢ７１０ａ）とＵＥ（たとえば、ＵＥ７２０）との間で容易に採用され得るが、スタンドアロンシングルキャリア動作は、さらなる実装変更がない場合、悪影響を及ぼされるか、または適合しないことになる。たとえば、シングルキャリア実装形態では、無線フレームが候補サブフレーム構成１’または２’で構成されたとき、ＵＥ７２０は、候補サブフレーム構成１’および２’がＵＬ動作のための専用ＵＬサブフレームを欠くので、アップリンク上で制御および／またはデータチャネルを送信する機会を与えられないことがある。別の例として、無線フレームが候補サブフレーム構成３’（またはそれの変形形態）で構成されたとき、後方互換性があるモビリティ管理（たとえば、ＲＳＲＰ測定）のために利用可能なＤＬがないか、十分な数のＤＬサブフレームがないかのいずれかである。
【００４９】
[0065]一態様では、候補サブフレーム構成１’、２’、および／または３’の一部または全部をサポートするキャリアは、依然としてｅＩＭＴＡ（たとえば、ＵＬ−ＤＬサブフレーム構成の動的構成）の対象となり得る。しかしながら、ＵＥ７２０が、キャリアのためのフレームのためのサブフレーム構成を動的に決定するためにグループ共通ＤＣＩを監視する必要があることに留意されたい。ＤＣＩが、候補サブフレーム構成３’で構成されたフレーム中でｅＩＭＴＡの対象となるキャリア上でｅＮＢ７１０ａによって送信された場合、ＵＥ７２０は、そのようなフレームがＤＣＩの送信のためのＤＬサブフレームを有しないので、ＤＣＩを復号する機会を有しないことがある。一態様では、ＵＥ７２０は、１０ｍｓ、２０ｍｓ、４０ｍｓ、または８０ｍｓごとにグループ共通ＤＣＩを監視するように構成され得る。
【００５０】
[0066]一態様では、ｅＩＭＴＡを実装するｅＮＢは、いくつかの無線フレームが、いくつかのサブフレーム構成で構成されることを制限し得る。たとえば、少なくとも１つのＵＥがグループ共通ＤＣＩを監視するように構成された無線フレームでは、ｅＩＭＴＡを実装するｅＮＢは、無線フレームが候補サブフレーム構成３’で構成されることを制限し得る。別の例として、ＵＥがグループ共通ＤＣＩを監視するように構成されない無線フレームでは、ｅＩＭＴＡを実装するｅＮＢは、無線フレームが候補サブフレーム構成３’で構成されることを可能にし得る。関係する態様では、ｅＮＢは、偶数無線フレーム中でグループ共通ＤＣＩを監視するようにすべてのＵＥを構成し得、その結果、ｅＮＢは、偶数無線フレームが候補サブフレーム構成３’で構成されることを制限し得るが、奇数無線フレームが候補サブフレーム構成３’で構成されることを可能にし得る。逆に、ｅＮＢは、奇数無線フレーム中でグループ共通ＤＣＩを監視するようにすべてのＵＥを構成し得、偶数無線フレームが候補サブフレーム構成３’で構成されることを可能にし得る。
【００５１】
[0067]一態様では、ｅＩＭＴＡを実装するｅＮＢ７１０ａが、候補サブフレーム構成１’、２、および／または３’でキャリアを潜在的に構成し得るとき、ｅＮＢ７１０ａはＳＩＢ１中で既存のスタンドアロン適合構成を示し得る。たとえば、図８を参照すると、ＳＩＢ１はＵＬ−ＤＬサブフレーム構成５を示し得る。
【００５２】
[0068]候補サブフレーム構成（たとえば、候補サブフレーム構成１’および／または３’）はＰＲＡＣＨプロシージャの動作をサポートしないことがある。たとえば、候補サブフレーム構成１’がすべてのＤＬサブフレームを含み、候補サブフレーム構成３’がすべてのＵＬサブフレームを含むので、候補サブフレーム構成１’および３’は、ＰＲＡＣＨプロシージャに関連するＤＬ通信とＵＬ通信の両方を実行するための機会を与えるサブフレーム（たとえば、スペシャルサブフレーム）を含まない。
【００５３】
[0069]一態様では、ｅＮＢ７１０ａは、ＰＲＡＣＨ動作に適合するようにｅＩＭＴＡを実装し得る。たとえば、ｅＮＢ７１０ａは、ＳＩＢ１中で示されるＰＲＡＣＨ機会がｅＩＭＴＡ動作中にＵＥにとって利用可能であることを保証し得る。
【００５４】
[0070]一態様では、ｅＮＢ７１０ａがＵＥ７２０にＰＲＡＣＨ機会を示した場合、ｅＮＢ７１０ａは、ＰＲＡＣＨ機会の利用可能性を保証するサブフレーム構成を使用し得る。たとえば、ＵＥ７２０に送信されたＳＩＢ１は、可能なＰＲＡＣＨ構成インデックス４８、４９、または５０を用いて、ＰＲＡＣＨフォーマット４のみがサポートされることを示し得る。ＰＲＡＣＨ構成インデックス４８、４９、および５０に関連するパラメータが表１に示されている。
【００５５】
[0071]
【表１】
0006297714.tif 000002
【００５６】
[0072]たとえば、表１を参照すると、ＰＲＡＣＨ構成インデックス４８および４９は、１つのＰＲＡＣＨフォーマット４機会が２０ｍｓごとに生じることを示すために導入され得る。たとえば、ＰＲＡＣＨ構成インデックス４８は、ＰＲＡＣＨフォーマット４機会が偶数フレームのサブフレーム１中で生じることを示し得るが、ＰＲＡＣＨ構成インデックス４９は、ＰＲＡＣＨフォーマット４機会が奇数フレームのサブフレーム１中で生じることを示し得る。別の例として、表１を参照すると、ＰＲＡＣＨ構成インデックス５１は、１つのＰＲＡＣＨフォーマット４機会が１０ｍｓごとに生じることを示し得る。たとえば、ＰＲＡＣＨ構成インデックス５１は、ＰＲＡＣＨフォーマット４機会があらゆるフレームのサブフレーム１中で生じることをさらに示し得る。一態様では、ＰＲＡＣＨ構成インデックス４８がＳＩＢ１中で示される場合、ｅＮＢは、偶数フレームの場合、対応するＴＤＤ  ＵＬ−ＤＬサブフレーム構成が、利用可能なＰＲＡＣＨフォーマット４をもつスペシャルサブフレームとして割り振られるサブフレーム１を常に有することになることを保証する。しかしながら、ｅＮＢは、奇数フレーム中で後方互換性がない／スタンドアロン非対応の構成を使用し得る。逆に、ＰＲＡＣＨ構成インデックス４９がＳＩＢ１中で示される場合、ｅＮＢ７１０ａは、奇数フレームの場合、対応するＴＤＤ  ＵＬ−ＤＬサブフレーム構成が、利用可能なＰＲＡＣＨフォーマット４をもつスペシャルサブフレームとして割り振られるサブフレーム１を常に有することになることを保証する。しかしながら、ｅＮＢ７１０ａは、偶数フレーム中で後方互換性がない／スタンドアロン非対応の構成を使用し得る。
【００５７】
[0073]一態様では、ＰＲＡＣＨ構成インデックス５１が使用される場合、ｅＮＢ７１０ａは、候補サブフレーム構成２’、または図８に関して前に説明した７つのサブフレーム構成（たとえば、ＵＬ−ＤＬ構成０〜６）のいずれか１つのいずれかを適用することによってｅＩＭＴＡを実装し得る。
【００５８】
[0074]図１１は、本開示の様々な態様による、無線フレームのシーケンス（たとえば、無線フレーム０  １１０２〜無線フレームＮ  １１１４）のためのサブフレーム構成を示す図１１００である。一例では、ｅＮＢ７１０ａは、無線フレームのシーケンス中の偶数無線フレーム（たとえば、図１１中の無線フレーム０  １１０２、無線フレーム２  １１０６、および無線フレーム４  １１１０）のサブフレーム１中でＰＲＡＣＨフォーマット４機会が生じる、ＰＲＡＣＨ構成インデックス４８を適用し得る。図１１の例示的な構成では、偶数無線フレーム（たとえば、無線フレーム０  １１０２、無線フレーム２  １１０６および無線フレーム４  １１１０）は、動的サブフレーム構成適応のための可能なＵＬ−ＤＬサブフレーム構成の限定されたセットを有する。図１１の例示的な構成では、ｅＮＢ７１０ａは、偶数無線フレームを候補サブフレーム構成１’および３’から制限する。したがって、サブフレーム＃１がスペシャルサブフレームとして割り振られるサブフレーム構成のみが、偶数無線フレーム中で可能にされ得る。図１１にさらに示されているように、奇数無線フレーム（たとえば、無線フレーム１  １１０４、無線フレーム３  １１０８、および無線フレーム５  １１１２）は、動的サブフレーム構成適応のための可能なＵＬ−ＤＬサブフレーム構成の限定されていないセットを有する。しかしながら、ｅＮＢ７１０ａは、メッセージ３ニーズと他の潜在的ニーズとに基づいて可能なＵＬ−ＤＬサブフレーム構成のセットを限定し得る。同様の設計が他のＰＲＡＣＨフォーマットに適用され得ることが諒解され得る。
【００５９】
[0075]前に説明したＰＲＡＣＨ依存ｅＩＭＴＡ動作は、セルにアクセスする機会をＵＥ７２０に与えるためのセル固有ＰＲＡＣＨ機会によって引き起こされ得る。一態様では、ｅＮＢ７１０ａが、少なくとも１つのＵＥ（たとえば、ＵＥ７２０）がＰＲＡＣＨを使用してセルにアクセスしようと試みていることを検出し、ＰＲＡＣＨプロシージャを開始するとき、ｅＮＢ７１０ａは、ＰＲＡＣＨプロシージャおよび後続の動作を可能にするために無線フレームのために利用可能なＵＬ−ＤＬサブフレーム構成を制限し得る。たとえば、ＰＲＡＣＨ構成インデックス４８を適用するｅＮＢ７１０ａは、ＵＬ−ＤＬサブフレーム構成５を示すＳＩＢ１を送信し得る。ｅＮＢ７１０ａは、無線フレーム０  １１０２のサブフレーム１中でＰＲＡＣＨフォーマット４を検出し得、無線フレーム１  １１０４のサブフレーム０中でランダムアクセス応答（メッセージ２）を送信し得る。ＰＲＡＣＨプロシージャのメッセージ２とメッセージ３との間に少なくとも６ｍｓの遅延があるので、ＵＥ７２０は、次いで、ＳＩＢ１に基づいて、無線フレーム２  １１０６のサブフレーム２中のメッセージ３を予想することを決定し得る。その結果、ｅＮＢ７１０ａは、図８に関して前に説明した７つのサブフレーム構成（たとえば、ＵＬ−ＤＬ構成０〜６）のいずれかなど、サブフレーム２が通常ＵＬサブフレームであるＵＬ−ＤＬサブフレーム構成を有するべきである。
【００６０】
[0076]一態様では、ＲＲＣ＿ｃｏｎｎｅｃｔｅｄ  ＵＥの場合、ｅＮＢ（たとえば、ｅＮＢ７１０ａ）は、フレーム依存ｅＩＭＴＡ制限（frame-dependent eIMTA restrictions）の専用シグナリングを介して新しいＵＥにさらに示し得る。一態様では、レガシーＵＥは、それらがｅＩＭＴＡ対応である場合、サブフレーム構成がＳＩＢ１および／または動的に示されたＵＬ−ＤＬサブフレーム構成に基づくと仮定し得る。一態様では、新しいＵＥおよびレガシーＵＥは、動的ＵＬ−ＤＬサブフレーム構成について異なるグループＤＣＩを監視するように構成され得る。
【００６１】
[0077]すべてのＵＬサブフレームを含む候補サブフレーム構成３’が、キャリアのＴＤＤフレームのために実装されるとき、ＵＥ７２０が、そのようなＴＤＤフレーム中で測定を実行することが可能でないことがあることに留意されたい。より詳細には、候補サブフレーム構成３’がすべてのＵＬサブフレームを含む（およびＤＬサブフレームを含まない）ので、候補サブフレーム構成３’は、ＵＥ７２０がＤＬ信号を測定することを防止し得る。
【００６２】
[0078]一態様では、ｅＮＢ７１０ａは、特定のキャリアのための無線フレームのいくつかのサブセット中でＵＥ７２０によって測定が実行され得ることをＵＥ７２０に示し得る。したがって、ｅＮＢ７１０ａは、ＵＥ７２０が、シーケンス中のあらゆる無線フレーム中で測定を実行しようと試みることを防止し得る。たとえば、ｅＮＢ７１０ａは、ＵＥ７２０が無線フレームのシーケンス中の偶数無線フレーム中で測定を実行し得ることをＵＥ７２０に示し得る。しかしながら、奇数無線フレーム中の測定のためのＤＬサブフレームの保証された利用可能性がない。これはまた、異なる無線フレームが異なるｅＩＭＴＡ限定（eIMTA limitations）を有し得ることを暗示する。一態様では、ｅＮＢ７１０ａは、偶数無線フレームを候補サブフレーム構成３’から制限し得るが、奇数無線フレームのために候補サブフレーム構成３’を可能にし得る。
【００６３】
[0079]一態様では、ＵＥ７２０は、ｅＮＢ７１０ａから、どのサブフレームについてＵＥ７２０が測定を実行すべきであるかに関するインジケーションを受信しないことがある。そのような態様では、ＵＥ７２０は、サブフレーム方向（ＤＬまたはＵＬ）をブラインド検出し、それに応じて測定を実行し得る。たとえば、ＵＥ７２０が、無線フレーム中のサブフレームがＵＬサブフレームであると決定した場合、ＵＥ７２０は、そのＵＬサブフレーム中で測定を実行することを回避し得る。しかしながら、ＵＥ７２０が、サブフレームがＤＬサブフレームであると決定した場合、ＵＥ７２０はそのＤＬサブフレーム中で測定を実行し得る。
【００６４】
[0080]図１２は、ワイヤレス通信の方法のフローチャート１２００である。本方法はｅＮＢ（たとえば、図７中のｅＮＢ７１０ａ）によって実行され得る。図１２中の破線によって示されたステップがオプションのステップを表すことを理解されたい。
【００６５】
[0081]ステップ１２０２において、ｅＮＢは、無線フレームについてグループ共通ＤＣＩを監視するように少なくとも１つのＵＥを構成する。ＵＥは、グループ共通ＤＣＩを復号するためにＤＬサブフレームを監視し得る。グループ共通ＤＣＩは、ＵＥがＴＤＤフレームのためにＵＬ−ＤＬサブフレーム構成を動的に決定することを可能にし得る。
【００６６】
[0082]ステップ１２０４において、ｅＮＢは、少なくとも１つのＵＥの構成に基づいて無線フレームを構成すると決定する。
【００６７】
[0083]ステップ１２０６において、ｅＮＢは、制限に基づくサブフレーム構成で無線フレームを構成する。一態様では、制限は、無線フレームを、無線フレームのシーケンス内の無線フレームの位置、または無線フレーム中で送信または受信されるべき情報のタイプのうちの少なくとも１つに基づく１つまたは複数の除外されたサブフレーム構成に準拠することから除外する。一態様では、１つまたは複数の除外されたサブフレーム構成は、無線フレーム中で送信されるべき情報のタイプがダウンリンク制御情報であるとき、少なくとも１つのダウンリンクサブフレーム割振りを含まない。一態様では、１つまたは複数の除外されたサブフレーム構成は、無線フレーム中で受信されるべき情報のタイプがＰＲＡＣＨ情報であるとき、アップリンクサブフレーム割振りまたはスペシャルサブフレーム割振りのうちの少なくとも１つを含まない。
【００６８】
[0084]一態様では、第１の無線フレームが、サブフレーム構成の第１のセットに準拠することから除外され、第２の無線フレームが、サブフレーム構成の第２のセットに準拠することから除外され、ここで、サブフレーム構成の第１のセットはサブフレーム構成の第２のセットとは異なる。一態様では、サブフレーム構成の第２のセットは空集合を含んでいる。一態様では、サブフレーム構成の第１のセットは、通常アップリンクサブフレームのないサブフレーム構成、または通常ダウンリンクサブフレームのないサブフレーム構成のうちの少なくとも１つを含んでいる。
【００６９】
[0085]ステップ１２０８において、ｅＮＢは、無線フレームに対する制限を示すメッセージを少なくとも１つのＵＥに送信する。一態様では、ＰＲＡＣＨ構成インデックスが少なくとも１つのＵＥに示され、ここで、ＰＲＡＣＨ構成インデックスは、２つまたはそれ以上の無線フレームの周期性を有するＰＲＡＣＨに関連する。
【００７０】
[0086]ステップ１２１０において、ｅＮＢは、無線フレームのシーケンスのサブセットを少なくとも１つのＵＥに示す。一態様では、無線フレームのシーケンスのサブセットは、少なくとも１つのＵＥによる測定を可能にするために、少なくとも１つのダウンリンクサブフレーム割振りをもつサブフレーム構成で構成される。
【００７１】
[0087]ステップ１２１２において、ｅＮＢは、サブフレーム構成に基づく無線フレーム中に少なくとも１つのＵＥのうちのＵＥ（たとえば、図７中のＵＥ７２０）と通信する。たとえば、無線フレームのためのサブフレーム構成がすべてのダウンリンクサブフレームを含むとき、ｅＮＢは、無線フレーム中にＵＥに送信することによってＵＥと通信する。別の例として、無線フレームのためのサブフレーム構成がすべてのアップリンクサブフレームを含むとき、ｅＮＢは、無線フレーム中にＵＥから送信を受信することによってＵＥと通信する。
【００７２】
[0088]図１３は、例示的な装置１３０２中の異なるモジュール／手段／構成要素間のデータフローを示す概念データフロー図１３００である。本装置はｅＮＢであり得る。受信モジュール１３０４は、１つまたは複数のＵＥ（たとえば、ＵＥ１３５０）からＵＬ信号１３３８を受信する。ＵＥ構成モジュール１３０６は、受信モジュール１３０４から信号１３１８を介してＵＬ信号のうちの１つまたは複数を受信し、無線フレーム中でグループ共通ＤＣＩを監視するように少なくとも１つのＵＥを構成する。決定モジュール１３０８は、少なくとも１つのＵＥの構成１３２２に基づいてどのように無線フレームを構成すべきかを決定する。無線フレーム構成モジュール１３１０は、制限に基づくサブフレーム構成で信号１３２４中で示される無線フレームを構成する。サブセット指示モジュール１３１２は、サブフレーム構成を示す信号１３２６を受信し、少なくとも１つのＵＥに無線フレームのシーケンスのサブセットを示す信号１３３４を提供する。通信モジュール１３１４は、サブフレーム構成を示す信号１３３０を受信し、サブフレーム構成に基づく無線フレーム中にＵＥと通信する。送信モジュール１３１６は、無線フレームに対する制限を示すメッセージを少なくとも１つのＵＥ（たとえば、ＵＥ１３５０）に送信する。たとえば、送信モジュール１３１４は、送信モジュール１３１６を介して、信号１３３２中に含まれる通信をＵＥに送り得る。別の例として、無線フレーム構成モジュール１３１０は、送信モジュール１３１６を介して、サブフレーム構成を示す信号１３２８をＵＥに送り得る。したがって、信号１３３６は１つまたは複数の無線フレーム制限をＵＥに示し得る。別の例として、ＵＥ構成モジュール１３０６は、送信モジュール１３１６を介して、構成を示す信号１３２０をＵＥ構成モジュール１３０６からＵＥに送り得る。
【００７３】
[0089]本装置は、図１２の上述のフローチャート中のアルゴリズムのステップの各々を実行する追加のモジュールを含み得る。したがって、図１２の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７４】
[0090]図１４は、処理システム１４１４を採用する装置１３０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェアモジュールと、モジュール１３０４、１３０６、１３０８、１３１０、１３１２、１３１４、および１３１６と、コンピュータ可読媒体／メモリ１４０６とを含む様々な回路を互いにリンクする。バス１４２４はまた、タイミングソース、周辺機器、電圧調整器、および電力管理回路など、様々な他の回路をリンクし得るが、これらの回路は当技術分野においてよく知られており、したがって、これ以上説明しない。
【００７５】
[0091]処理システム１４１４はトランシーバ１４１０に結合され得る。トランシーバ１４１０は、１つまたは複数のアンテナ１４２０に結合される。トランシーバ１４１０は、伝送媒体を介して様々な他の装置と通信するための手段を与える。トランシーバ１４１０は、１つまたは複数のアンテナ１４２０から信号を受信し、受信された信号から情報を抽出し、抽出された情報を処理システム１４１４、特に受信モジュール１３０４に与える。さらに、トランシーバ１４１０は、処理システム１４１４、特に送信モジュール１３１６から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む一般的な処理を担当する。ソフトウェアは、プロセッサ１４０４によって実行されたとき、処理システム１４１４に、特定の装置のための上記で説明された様々な機能を実行させる。コンピュータ可読媒体／メモリ１４０６はまた、ソフトウェアを実行するときにプロセッサ１４０４によって操作されるデータを記憶するために使用され得る。処理システムは、モジュール１３０４、１３０６、１３０８、１３１０、１３１２、１３１４、および１３１６のうちの少なくとも１つをさらに含む。それらのモジュールは、プロセッサ１４０４中で動作するか、コンピュータ可読媒体／メモリ１４０６中に常駐する／記憶されたソフトウェアモジュールであるか、プロセッサ１４０４に結合された１つまたは複数のハードウェアモジュールであるか、またはそれらの何らかの組合せであり得る。処理システム１４１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【００７６】
[0092]一構成では、ワイヤレス通信のための装置１３０２／１３０２’は、制限に基づくサブフレーム構成で無線フレームを構成するための手段と、サブフレーム構成に基づく無線フレーム中にＵＥと通信するための手段と、無線フレームに対する制限を示すメッセージを少なくとも１つのＵＥに送信するための手段と、無線フレームのシーケンスのサブセットを少なくとも１つのＵＥに示すための手段と、無線フレームについてグループ共通ＤＣＩを監視するように少なくとも１つのＵＥを構成するための手段と、少なくとも１つのＵＥの構成に基づいて無線フレームを構成すると決定するための手段とを含む。上述の手段は、上述の手段によって具陳された機能を実行するように構成された、装置１３０２、および／または装置１３０２’の処理システム１４１４の上述のモジュールのうちの１つまたは複数であり得る。上記で説明したように、処理システム１４１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００７７】
[0093]図１５は、ワイヤレス通信の方法のフローチャート１５００である。本方法はＵＥによって実行され得る。図１５中の破線によって示されたステップがオプションのステップを表すことを理解されたい。
【００７８】
[0094]ステップ１５０２において、ＵＥは、少なくとも１つの無線フレームのためのサブフレーム構成制限を含む情報を受信する。一態様では、少なくとも１つの無線フレームは、少なくとも１つの無線フレームを１つまたは複数の除外されたサブフレーム構成に準拠することから除外するサブフレーム構成制限に基づくサブフレーム構成で構成され得る。一態様では、１つまたは複数の除外されたサブフレーム構成は、無線フレームのシーケンス内の少なくとも１つの無線フレームの位置、または少なくとも１つの無線フレーム中で送信または受信されるべき情報のタイプのうちの少なくとも１つに基づく。一態様では、１つまたは複数の除外されたサブフレーム構成は、少なくとも１つの無線フレーム中で受信されるべき情報のタイプがダウンリンク制御情報を備えるとき、少なくとも１つのダウンリンクサブフレーム割振りを含まない。一態様では、１つまたは複数の除外されたサブフレーム構成は、少なくとも１つの無線フレーム中で受信されるべき情報のタイプがＰＲＡＣＨを備えるとき、アップリンクサブフレーム割振りまたはスペシャルサブフレーム割振りのうちの少なくとも１つを含まない。一態様では、少なくとも１つの無線フレームの第１の無線フレームが、サブフレーム構成の第１のセットに準拠することから除外され、少なくとも１つの無線フレームの第２の無線フレームが、サブフレーム構成の第２のセットに準拠することから除外され、ここで、サブフレーム構成の第１のセットはサブフレーム構成の第２のセットとは異なる。一態様では、サブフレーム構成の第２のセットは空集合を含んでいる。一態様では、サブフレーム構成の第１のセットは、通常アップリンクサブフレームのないサブフレーム構成、または通常ダウンリンクサブフレームのないサブフレーム構成のうちの少なくとも１つを含んでいる。
【００７９】
[0095]ステップ１５０４において、ＵＥは基地局からＰＲＡＣＨ構成インデックスを受信する。一態様では、ＰＲＡＣＨ構成インデックスは、２つまたはそれ以上の無線フレームのＰＲＡＣＨ周期性に関連し得る。
【００８０】
[0096]ステップ１５０６において、ＵＥは、サブフレーム構成制限に基づいて少なくとも１つの無線フレームについてグループ共通ＤＣＩを監視する。
【００８１】
[0097]ステップ１５０８において、ＵＥは、基地局から無線フレームのシーケンスのサブセットのインジケーションを受信する。一態様では、無線フレームのシーケンスのサブセットは、少なくとも１つのダウンリンクサブフレーム割振りをもつサブフレーム構成で構成される。
【００８２】
[0098]ステップ１５１０において、ＵＥは、無線フレームのシーケンスのサブセットに対して測定を実行する。
【００８３】
[0099]最終的に、ステップ１５１２において、ＵＥは、サブフレーム構成に基づく少なくとも１つの無線フレーム中に基地局と通信する。
【００８４】
[00100]図１６は、例示的な装置１６０２中の異なるモジュール／手段／構成要素間のデータフローを示す概念データフロー図１６００である。本装置はＵＥ（たとえば、図７中のＵＥ７２０）であり得る。受信モジュール１６０４は、基地局１６５０から、少なくとも１つの無線フレームのためのサブフレーム構成制限を含む情報１６２６を受信し、無線フレームのシーケンスのサブセットのインジケーション１６２８を受信し、ＰＲＡＣＨ構成インデックス１６３０を受信する。測定モジュール１６０６は、無線フレームのシーケンスのサブセットを示す信号１６１４を受信し、無線フレームのシーケンスのサブセットに対して測定を実行する。ＤＣＩ監視モジュール１６０８は、少なくとも１つの無線フレームのためのサブフレーム構成制限を示す信号１６１６を受信し、サブフレーム構成制限に基づいて少なくとも１つの無線フレームについてグループ共通ＤＣＩを監視する。通信モジュール１６１０は、少なくとも１つの無線フレームがサブフレーム構成制限に基づくサブフレーム構成で構成されたことを示す信号１６１８を受信し、それは、ＤＣＩを示す信号１６２０を受信し、サブフレーム構成とＤＣＩとに基づく少なくとも１つの無線フレーム中に基地局と通信し、モジュール１６０６によって与えられる測定値１６３２に基づいて基地局と通信する。送信モジュール１６１２は、ＵＬ信号１６２４を基地局（たとえば、基地局１６５０）に送る。たとえば、送信モジュール１６１０は、モジュール１６１２を介して、信号１６２２中に含まれる通信を基地局１６５０に送り得る。
【００８５】
[00101]本装置は、図１５の上述のフローチャート中のアルゴリズムのステップの各々を実行する追加のモジュールを含み得る。したがって、図１５の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８６】
[00102]図１７は、処理システム１７１４を採用する装置１６０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１６０４、１６０６、１６０８、１６１０、および１６１２と、コンピュータ可読媒体／メモリ１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【００８７】
[00103]処理システム１７１４はトランシーバ１７１０に結合され得る。トランシーバ１７１０は、１つまたは複数のアンテナ１７２０に結合される。トランシーバ１７１０は、伝送媒体を介して様々な他の装置と通信するための手段を与える。トランシーバ１７１０は、１つまたは複数のアンテナ１７２０から信号を受信し、受信された信号から情報を抽出し、抽出された情報を処理システム１７１４、特に受信モジュール１６０４に与える。さらに、トランシーバ１７１０は、処理システム１７１４、特に送信モジュール１６１２から情報を受信し、受信された情報に基づいて、１つまたは複数のアンテナ１７２０に適用されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む一般的な処理を担当する。ソフトウェアは、プロセッサ１７０４によって実行されたとき、処理システム１７１４に、特定の装置のための上記で説明された様々な機能を実行させる。コンピュータ可読媒体／メモリ１７０６はまた、ソフトウェアを実行するときにプロセッサ１７０４によって操作されるデータを記憶するために使用され得る。処理システムは、モジュール１６０４、１６０６、１６０８、１６１０、および１６１２のうちの少なくとも１つをさらに含む。それらのモジュールは、プロセッサ１７０４中で動作するか、コンピュータ可読媒体／メモリ１７０６中に常駐する／記憶されたソフトウェアモジュールであるか、プロセッサ１７０４に結合された１つまたは複数のハードウェアモジュールであるか、またはそれらの何らかの組合せであり得る。処理システム１７１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００８８】
[00104]一構成では、ワイヤレス通信のための装置１６０２／１６０２’は、少なくとも１つの無線フレームのためのサブフレーム構成制限を備える情報を受信するための手段と、サブフレーム構成に基づく少なくとも１つの無線フレーム中に基地局と通信するための手段と、基地局から無線フレームのシーケンスのサブセットのインジケーションを受信するための手段と、ここにおいて、無線フレームのシーケンスのサブセットが、少なくとも１つのダウンリンクサブフレーム割振りをもつサブフレーム構成で構成された、無線フレームのシーケンスのサブセットに対して測定を実行するための手段と、サブフレーム構成制限に基づいて少なくとも１つの無線フレームについてグループ共通ＤＣＩを監視するための手段と、基地局からＰＲＡＣＨ構成インデックスを受信するための手段と、ここにおいて、ＰＲＡＣＨ構成インデックスが２つまたはそれ以上の無線フレームのＰＲＡＣＨ周期性に関連する、を含む。上述の手段は、上述の手段によって具陳された機能を実行するように構成された、装置１６０２、および／または装置１６０２’の処理システム１７１４の上述のモジュールうちの１つまたは複数であり得る。上記で説明したように、処理システム１７１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００８９】
[00105]開示したプロセス／フローチャート中のステップの特定の順序または階層は、例示的な手法の一例であることを理解されたい。設計選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９０】
[00106]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、出願当初の特許請求の範囲に記載された発明を付記する。
［Ｃ１］
ワイヤレス通信の方法であって、
制限に基づくサブフレーム構成で無線フレームを構成することと、ここで、前記無線フレームが複数の無線フレームのシーケンスの一部であり、前記制限が、前記無線フレームを、
無線フレームの前記シーケンス内の前記無線フレームの位置、または
前記無線フレーム中で送信または受信されるべき情報のタイプ
のうちの少なくとも１つに基づくサブフレーム構成のセットに準拠することから除外する、
前記サブフレーム構成に基づく前記無線フレーム中にユーザ機器（ＵＥ）と通信することと
を備える、ワイヤレス通信の方法。
［Ｃ２］
複数の無線フレームの前記シーケンスの少なくとも一部分が前記制限に基づいて構成されない、上記Ｃ１に記載の方法。
［Ｃ３］
サブフレーム構成の前記セットは、前記無線フレーム中で送信されるべき情報の前記タイプがダウンリンク制御情報を備えるとき、少なくとも１つのダウンリンクサブフレーム割振りをもつサブフレーム構成を含まない、上記Ｃ１に記載の方法。
［Ｃ４］
サブフレーム構成の前記セットは、前記無線フレーム中で受信されるべき情報の前記タイプが物理ランダムアクセスチャネル（ＰＲＡＣＨ）情報を備えるとき、アップリンクサブフレーム割振りまたはスペシャルサブフレーム割振りのうちの少なくとも１つを含まない、上記Ｃ１に記載の方法。
［Ｃ５］
前記無線フレームに対する前記制限を示すメッセージを少なくとも１つのＵＥに送信することをさらに備える、上記Ｃ１に記載の方法。
［Ｃ６］
無線フレームの前記シーケンスのサブセットを少なくとも１つのＵＥに示すことをさらに備え、無線フレームの前記シーケンスの前記サブセットが、前記少なくとも１つのＵＥによる測定を可能にするための少なくとも１つのダウンリンクサブフレーム割振りをもつサブフレーム構成で構成された、上記Ｃ１に記載の方法。
［Ｃ７］
前記無線フレームについてグループ共通ＤＣＩを監視するように少なくとも１つのＵＥを構成することをさらに備える、上記Ｃ１に記載の方法。
［Ｃ８］
前記少なくとも１つのＵＥの前記構成に基づいて前記無線フレームを構成すると決定することをさらに備える、上記Ｃ７に記載の方法。
［Ｃ９］
前記無線フレームが第１の無線フレームであり、サブフレーム構成の前記セットがサブフレーム構成の第１のセットであり、
複数の無線フレームのシーケンスからの第２の無線フレームが、サブフレーム構成の第２のセットに準拠することから除外され、サブフレーム構成の前記第１のセットがサブフレーム構成の前記第２のセットとは異なる、
上記Ｃ１に記載の方法。
［Ｃ１０］
サブフレーム構成の前記第１のセットが、通常アップリンクサブフレームのないサブフレーム構成、または通常ダウンリンクサブフレームのないサブフレーム構成のうちの少なくとも１つを含んでいる、上記Ｃ９に記載の方法。
［Ｃ１１］
物理ランダムアクセスチャネル（ＰＲＡＣＨ）構成インデックスが少なくとも１つのＵＥに示され、前記ＰＲＡＣＨ構成インデックスが２つまたはそれ以上の無線フレームのＰＲＡＣＨ周期性に関連する、上記Ｃ１に記載の方法。
［Ｃ１２］
ワイヤレス通信の方法であって、
少なくとも１つの無線フレームのためのサブフレーム構成制限を備える情報を受信することと、ここで、前記少なくとも１つの無線フレームが、複数の無線フレームのシーケンスの一部であり、前記少なくとも１つの無線フレームをサブフレーム構成のセットに準拠することから除外する前記サブフレーム構成制限に基づくサブフレーム構成で構成されている、
前記サブフレーム構成に基づく前記少なくとも１つの無線フレーム中に基地局と通信することと
を備える、ワイヤレス通信の方法。
［Ｃ１３］
複数の無線フレームの前記シーケンスの少なくとも一部分が前記制限に基づいて構成されない、上記Ｃ１２に記載の方法。
［Ｃ１４］
サブフレーム構成の前記セットが、無線フレームの前記シーケンス内の前記少なくとも１つの無線フレームの位置、または前記少なくとも１つの無線フレーム中で送信または受信されるべき情報のタイプのうちの少なくとも１つに基づく、上記Ｃ１２に記載の方法。
［Ｃ１５］
サブフレーム構成の前記セットは、前記少なくとも１つの無線フレーム中で受信されるべき情報のタイプがダウンリンク制御情報を備えるとき、少なくとも１つのダウンリンクサブフレーム割振りをもつサブフレーム構成を含まない、上記Ｃ１２に記載の方法。
［Ｃ１６］
サブフレーム構成の前記セットは、前記少なくとも１つの無線フレーム中で受信されるべき情報のタイプが物理ランダムアクセスチャネル（ＰＲＡＣＨ）情報を備えるとき、アップリンクサブフレーム割振りまたはスペシャルサブフレーム割振りのうちの少なくとも１つを含まない、上記Ｃ１２に記載の方法。
［Ｃ１７］
前記基地局から無線フレームのシーケンスのサブセットのインジケーションを受信することと、ここにおいて、無線フレームの前記シーケンスの前記サブセットが、少なくとも１つのダウンリンクサブフレーム割振りをもつサブフレーム構成で構成され、
無線フレームの前記シーケンスの前記サブセットに対して測定を実行することと
をさらに備える、上記Ｃ１２に記載の方法。
［Ｃ１８］
前記サブフレーム構成制限に基づいて前記少なくとも１つの無線フレームについてグループ共通ＤＣＩを監視することをさらに備える、上記Ｃ１２に記載の方法。
［Ｃ１９］
前記少なくとも１つの無線フレームの第１の無線フレームが、サブフレーム構成の第１のセットに準拠することから除外され、前記少なくとも１つの無線フレームの第２の無線フレームが、サブフレーム構成の第２のセットに準拠することから除外され、サブフレーム構成の前記第１のセットがサブフレーム構成の前記第２のセットとは異なる、上記Ｃ１２に記載の方法。
［Ｃ２０］
サブフレーム構成の前記第１のセットが、通常アップリンクサブフレームのないサブフレーム構成、または通常ダウンリンクサブフレームのないサブフレーム構成のうちの少なくとも１つを含んでいる、上記Ｃ１８に記載の方法。
［Ｃ２１］
前記基地局から物理ランダムアクセスチャネル（ＰＲＡＣＨ）構成インデックスを受信することをさらに備え、ここにおいて、前記ＰＲＡＣＨ構成インデックスが２つまたはそれ以上の無線フレームのＰＲＡＣＨ周期性に関連する、上記Ｃ１２に記載の方法。
［Ｃ２２］
ワイヤレス通信のための装置であって、
メモリと、
前記メモリに結合された少なくとも１つのプロセッサと
を備え、前記少なくとも１つのプロセッサは、
制限に基づくサブフレーム構成で無線フレームを構成することと、ここで、前記無線フレームが複数の無線フレームのシーケンスの一部であり、前記制限が、前記無線フレームを、
無線フレームの前記シーケンス内の前記無線フレームの位置、または
前記無線フレーム中で送信または受信されるべき情報のタイプ
のうちの少なくとも１つに基づくサブフレーム構成のセットに準拠することから除外する、
前記サブフレーム構成に基づく前記無線フレーム中にユーザ機器（ＵＥ）と通信することと
を行うように構成された、
装置。
［Ｃ２３］
サブフレーム構成の前記セットは、前記無線フレーム中で送信されるべき情報の前記タイプがダウンリンク制御情報を備えるとき、少なくとも１つのダウンリンクサブフレーム割振りを含まない、上記Ｃ２２に記載の装置。
［Ｃ２４］
サブフレーム構成の前記セットは、前記無線フレーム中で受信されるべき情報の前記タイプが物理ランダムアクセスチャネル（ＰＲＡＣＨ）情報を備えるとき、アップリンクサブフレーム割振りまたはスペシャルサブフレーム割振りのうちの少なくとも１つを含まない、上記Ｃ２２に記載の装置。
［Ｃ２５］
前記少なくとも１つのプロセッサが、前記無線フレームに対する前記制限を示すメッセージを少なくとも１つのＵＥに送信するようにさらに構成された、上記Ｃ２２に記載の装置。
［Ｃ２６］
前記少なくとも１つのプロセッサが、無線フレームの前記シーケンスのサブセットを少なくとも１つのＵＥに示すようにさらに構成され、ここにおいて、無線フレームの前記シーケンスの前記サブセットが、前記少なくとも１つのＵＥによる測定を可能にするための少なくとも１つのダウンリンクサブフレーム割振りをもつサブフレーム構成で構成された、上記Ｃ２２に記載の装置。
［Ｃ２７］
ワイヤレス通信のための装置であって、
メモリと、
前記メモリに結合された少なくとも１つのプロセッサと
を備え、前記少なくとも１つのプロセッサは、
少なくとも１つの無線フレームのためのサブフレーム構成制限を備える情報を受信することと、ここで、前記少なくとも１つの無線フレームが、複数の無線フレームのシーケンスの一部であり、前記少なくとも１つの無線フレームをサブフレーム構成のセットに準拠することから除外する前記サブフレーム構成制限に基づくサブフレーム構成で構成されている、
前記サブフレーム構成に基づく前記少なくとも１つの無線フレーム中に基地局と通信することと
を行うように構成された、
装置。
［Ｃ２８］
前記少なくとも１つのプロセッサは、
前記基地局から無線フレームのシーケンスのサブセットのインジケーションを受信することと、ここにおいて、無線フレームの前記シーケンスの前記サブセットが、少なくとも１つのダウンリンクサブフレーム割振りをもつサブフレーム構成で構成され、
無線フレームの前記シーケンスの前記サブセットに対して測定を実行することと
を行うようにさらに構成された、上記Ｃ２７に記載の装置。
［Ｃ２９］
前記少なくとも１つのプロセッサは、前記サブフレーム構成制限に基づいて前記少なくとも１つの無線フレームについてグループ共通ＤＣＩを監視するようにさらに構成された、上記Ｃ２７に記載の装置。
［Ｃ３０］
サブフレーム構成の前記セットが、無線フレームのシーケンス内の前記少なくとも１つの無線フレームの位置、または前記少なくとも１つの無線フレーム中で送信または受信されるべき情報のタイプのうちの少なくとも１つに基づく、上記Ｃ２７に記載の装置。
【図１】
0006297714.tif 000003
【図２】
0006297714.tif 000004
【図３】
0006297714.tif 000005
【図４】
0006297714.tif 000006
【図５】
0006297714.tif 000007
【図６】
0006297714.tif 000008
【図７】
0006297714.tif 000009
【図８】
0006297714.tif 000010
【図９】
0006297714.tif 000011
【図１０】
0006297714.tif 000012
【図１１】
0006297714.tif 000013
【図１２】
0006297714.tif 000014
【図１３】
0006297714.tif 000015
【図１４】
0006297714.tif 000016
【図１５】
0006297714.tif 000017
【図１６】
0006297714.tif 000018
【図１７】
0006297714.tif 000019